(57)【要約】【課題】  映像の高輝度化を図ることを可能とする投写型映像表示装置を提供する。【解決手段】  投写型映像表示装置１００は、調整部２３０及び光源制御部２５０を有する。調整部２３０は、１つのフレームを構成するサブフレームの数を調整する。光源制御部２５０は、１つのフレームを構成するサブフレームのうち、赤成分光Ｒ又は青成分光Ｂに割り当てられるサブフレームが２つ以上である場合に、連続する２つのサブフレーム間に設けられるデータ書き込み期間において、赤成分光Ｒ又は青成分光Ｂが液晶パネル７１ＲＢから出射されるように光源ユニット１０（光源ユニット１０Ｒ又は光源ユニット１０Ｂ）を制御する。【選択図】  図２
2013114232.tif 000002
【特許請求の範囲】
【請求項１】
第１色成分光及び第２色成分光を出射する光源と、第１信号値に基づいて、前記第１色成分光を変調するとともに、第２信号値に基づいて、前記第２色成分光を変調する第１光変調素子とを備えた投写型映像表示装置であって、
前記光源から出射される光量を制御する光源制御部と、
１つのフレームを構成するサブフレームの数を調整する調整部とを備え、
前記サブフレームは、前記第１信号値又は前記第２信号値に応じて映像データを書き込むデータ書き込み期間と、前記第１光変調素子から光が出射される光出射期間とを含み、
前記光源制御部は、前記１つのフレームを構成するサブフレームのうち、前記第１色成分光又は前記第２色成分光に割り当てられるサブフレームが１つである場合に、前記データ書き込み期間において前記第１色成分光又は前記第２色成分光が前記第１光変調素子から出射されないように前記光源を制御し、
前記光源制御部は、前記１つのフレームを構成するサブフレームのうち、前記第１色成分光又は前記第２色成分光に割り当てられるサブフレームが２つ以上である場合に、連続する２つのサブフレーム間に設けられる前記データ書き込み期間において、前記第１色成分光又は前記第２色成分光が前記第１光変調素子から出射されるように前記光源を制御することを特徴とする投写型映像表示装置。
【請求項２】
前記調整部は、カラーブレイクが生じる度合いが小さいほど、前記１つのフレームを構成するサブフレームの数を増大することを特徴とする請求項１に記載の投写型映像表示装置。
【請求項３】
前記第１信号値及び前記第２信号値に基づいて前記第１光変調素子を制御する素子制御部を備え、
前記素子制御部は、前記１つのフレームを構成するサブフレームの数の変化に応じて、前記第１信号値及び前記第２信号値を補正することを特徴とする請求項１に記載の投写型映像表示装置。
【請求項４】
前記調整部は、前記第１信号値及び前記第２信号値に基づいて、前記１つのサブフレームを構成するサブフレームのうち、前記第１色成分光及び前記第２色成分光に割り当てられるサブフレームの数を調整することを特徴とする請求項１に記載の投写型映像表示装置。
【請求項５】
前記投写型映像表示装置が立体画像を表示する場合において、
前記調整部は、前記立体映像の観察者の数に応じて、前記１つのサブフレームを構成するサブフレームのうち、互いに異なるサブフレームを前記立体映像の観察者に割り当てることを特徴とする請求項１に記載の投写型映像表示装置。
【請求項６】
既存の観察者に対して新たな観察者が追加された場合に、
前記調整部は、前記既存の観察者に割り当てるサブフレームの数よりも少ない数のサブフレームを前記新たな観察者に割り当てることを特徴とする請求項５に記載の投写型映像表示装置。
【発明の詳細な説明】
【技術分野】
【０００１】
本発明は、白色光源が発する白色光を複数の色成分光に分離した上で、各色成分光を変調する投写型映像表示装置に関する。
【背景技術】
【０００２】
従来、白色光源が発する白色光を３つの色成分光（赤成分光Ｒ、緑成分光Ｇ及び青成分光Ｂ）に分離する色分離部と、３つの色成分光をそれぞれ変調する３つの光変調素子とを有する投写型映像表示装置が知られている。
【０００３】
一方で、コスト削減を目的として、２つの光変調素子を有する投写型映像表示装置も提案されている。具体的には、色分離部は、白色光から１つの色成分光を分離するとともに、白色光から２つの色成分光の合成光を分離する。２つの色成分光の合成光の光路上には、２つの色成分光のそれぞれを時分割で出射するカラースイッチが設けられる（例えば、特許文献１）。
【０００４】
また、フレーム間の動き量に応じて、単位時間当たりのフレーム数及び１つのフレームを構成するサブフレームの数を調整する技術（サブフレーム数調整）も提案されている（例えば、特許文献２）。
【先行技術文献】
【特許文献】
【０００５】
【特許文献１】特開２００２−２４４２０３号公報
【特許文献２】特開２０１０−１９７７８５号公報
【発明の概要】
【発明が解決しようとする課題】
【０００６】
ここで、投写型映像表示装置では、映像の高輝度化が望まれている。上述したサブフレーム数調整では、階調性を高めるために、１つのフレームを構成するサブフレームの数を増大するに過ぎない。従って、上述したサブフレーム数調整は、映像の高輝度化には寄与しない。
【０００７】
そこで、本発明は、上述した課題を解決するためになされたものであり、映像の高輝度化を図ることを可能とする投写型映像表示装置を提供することを目的とする。
【課題を解決するための手段】
【０００８】
第１の特徴に係る投写型映像表示装置（投写型映像表示装置１００）は、第１色成分光及び第２色成分光を出射する光源（光源ユニット１０）と、第１信号値に基づいて、前記第１色成分光を変調するとともに、第２信号値に基づいて、前記第２色成分光を変調する第１光変調素子（例えば、液晶パネル７１ＲＢ）とを備える。投写型映像表示装置は、前記光源から出射される光量を制御する光源制御部（光源制御部２５０）と、１つのフレームを構成するサブフレームの数を調整する調整部（調整部２３０）とを備える。前記サブフレームは、前記第１信号値又は前記第２信号値に応じて映像データを書き込むデータ書き込み期間と、前記第１光変調素子から光が出射される光出射期間とを含む。前記光源制御部は、前記１つのフレームを構成するサブフレームのうち、前記第１色成分光又は前記第２色成分光に割り当てられるサブフレームが１つである場合に、前記データ書き込み期間において前記第１色成分光又は前記第２色成分光が前記第１光変調素子から出射されないように前記光源を制御する。前記光源制御部は、前記１つのフレームを構成するサブフレームのうち、前記第１色成分光又は前記第２色成分光に割り当てられるサブフレームが２つ以上である場合に、連続する２つのサブフレーム間に設けられる前記データ書き込み期間において、前記第１色成分光又は前記第２色成分光が前記第１光変調素子から出射されるように前記光源を制御する。
【０００９】
第１の特徴において、前記調整部は、カラーブレイクが生じる度合いが小さいほど、前記１つのフレームを構成するサブフレームの数を増大する。
【００１０】
第１の特徴において、投写型映像表示装置は、前記第１信号値及び前記第２信号値に基づいて前記第１光変調素子を制御する素子制御部（素子制御部２４０）を備える。前記素子制御部は、前記１つのフレームを構成するサブフレームの数の変化に応じて、前記第１信号値及び前記第２信号値を補正する。
【００１１】
第１の特徴において、前記調整部は、前記第１信号値及び前記第２信号値に基づいて、前記１つのサブフレームを構成するサブフレームのうち、前記第１色成分光及び前記第２色成分光に割り当てられるサブフレームの数を調整する。
【００１２】
第１の特徴において、前記投写型映像表示装置が立体画像を表示する場合において、前記調整部は、前記立体映像の観察者の数に応じて、前記１つのサブフレームを構成するサブフレームのうち、互いに異なるサブフレームを前記立体映像の観察者に割り当てる。
【００１３】
第１の特徴において、既存の観察者に対して新たな観察者が追加された場合に、前記調整部は、前記既存の観察者に割り当てるサブフレームの数よりも少ない数のサブフレームを前記新たな観察者に割り当てる。
【発明の効果】
【００１４】
本発明によれば、映像の高輝度化を図ることを可能とする投写型映像表示装置を提供することができる。
【図面の簡単な説明】
【００１５】
【図１】図１は、第１実施形態に係る投写型映像表示装置１００を示す図である。
【図２】図２は、第１実施形態に係る制御ユニット２００を示すブロック図である。
【図３】図３は、第１実施形態に係るカラーブレイクを説明するための図である。
【図４】図４は、第１実施形態に係るカラーブレイクを説明するための図である。
【図５】図５は、第１実施形態に係るサブフレーム数調整を説明するための図である。
【図６】図６は、第１実施形態に係るサブフレーム数調整を説明するための図である。
【図７】図７は、変更例１に係る信号補正を説明するための図である。
【図８】図８は、変更例１に係る信号補正を説明するための図である。
【図９】図９は、変更例２に係るヒストグラムを説明するための図である。
【図１０】図１０は、変更例２に係るヒストグラムを説明するための図である。
【図１１】図１１は、変更例２に係るサブフレーム数調整を説明するための図である。
【図１２】図１２は、変更例３に係るサブフレーム数調整を説明するための図である。
【図１３】図１３は、変更例３に係るサブフレーム数調整を説明するための図である。
【図１４】図１４は、変更例３に係るサブフレーム数調整を説明するための図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、第１色成分光及び第２色成分光を出射する光源と、第１信号値に基づいて、前記第１色成分光を変調するとともに、第２信号値に基づいて、前記第２色成分光を変調する第１光変調素子（例えば、液晶パネル７１ＲＢ）とを備える。投写型映像表示装置は、前記光源から出射される光量を制御する光源制御部と、１つのフレームを構成するサブフレームの数を調整する調整部とを備える。前記サブフレームは、前記第１信号値又は前記第２信号値に応じて映像データを書き込むデータ書き込み期間と、前記第１光変調素子から光が出射される光出射期間とを含む。前記光源制御部は、前記１つのフレームを構成するサブフレームのうち、前記第１色成分光又は前記第２色成分光に割り当てられるサブフレームが１つである場合に、前記データ書き込み期間において前記第１色成分光又は前記第２色成分光が前記第１光変調素子から出射されないように前記光源を制御する。前記光源制御部は、前記１つのフレームを構成するサブフレームのうち、前記第１色成分光又は前記第２色成分光に割り当てられるサブフレームが２つ以上である場合に、連続する２つのサブフレーム間に設けられる前記データ書き込み期間において、前記第１色成分光又は前記第２色成分光が前記第１光変調素子から出射されるように前記光源を制御する。
【００１９】
実施形態では、調整部は、１つのフレームを構成するサブフレームの数を調整する。
【００２０】
光源制御部は、光源制御部は、サブフレームの数が調整された結果、１つのフレームを構成するサブフレームのうち、第１色成分光又は第２色成分光に割り当てられるサブフレームが１つである場合に、データ書き込み期間において第１色成分光又は第２色成分光が第１光変調素子から出射されないように光源を制御する。
【００２１】
光源制御部は、サブフレームの数が調整された結果、１つのフレームを構成するサブフレームのうち、第１色成分光又は第２色成分光に割り当てられるサブフレームが２つ以上である場合に、連続する２つのサブフレーム間に設けられるデータ書き込み期間において、第１色成分光又は第２色成分光が第１光変調素子から出射されるように光源を制御する。従って、映像の高輝度化を適切に図ることができる。
【００２２】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２３】
図１に示すように、投写型映像表示装置１００は、複数の光源ユニット１０と、ダイクロイックキューブ２０と、ロッドインテグレータ３０と、色分離部４０と、複数のミラー５０（ミラー５１及びミラー５２）とを有する。投写型映像表示装置１００は、１対の液晶パネル７１（液晶パネル７１Ｇ、液晶パネル７１ＲＢ）と、１対の入射側偏光板７２（入射側偏光板７２Ｇ、入射側偏光板７２ＲＢ）と、１対の出射側偏光板７３（出射側偏光板７３Ｇ、出射側偏光板７３ＲＢ）とを有する。投写型映像表示装置１００は、合成部８０と、投写レンズユニット９０とを有する。なお、投写型映像表示装置１００は、必要なレンズ群（レンズ１１１、レンズ１１２、レンズ１１３）を有する。
【００２４】
複数の光源ユニット１０は、光源ユニット１０Ｒ、光源ユニット１０Ｇ及び光源ユニット１０Ｂである。各光源ユニット１０は、複数の固体光源によって構成されたユニットである。固体光源は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）である。なお、光源ユニット１０Ｒは、赤成分光Ｒを発する複数の固体光源によって構成される。光源ユニット１０Ｇは、緑成分光Ｇを発する複数の固体光源によって構成される。光源ユニット１０Ｂは、青成分光Ｂを発する複数の固体光源によって構成される。
【００２５】
ダイクロイックキューブ２０は、光源ユニット１０Ｒ、光源ユニット１０Ｇ及び光源ユニット１０Ｂから出射される光を合成する色合成部を構成する。ダイクロイックキューブ２０から出射された合成光（映像光）は、ロッドインテグレータ３０に導かれる。
【００２６】
ロッドインテグレータ３０は、ガラスなどの透明部材によって構成される中実のロッドである。ロッドインテグレータ３０は、ダイクロイックキューブ２０から出射される光を均一化する。なお、ロッドインテグレータ３０は、内壁がミラー面によって構成される中空のロッドであってもよい。
【００２７】
色分離部４０は、ロッドインテグレータ３０が出射する白色光を分離する。詳細には、色分離部４０は、第３色成分光（ここでは、緑成分光Ｇ）を白色光から分離するとともに、第１色成分光（ここでは、赤成分光Ｒ）及び第２色成分光（ここでは、青成分光Ｂ）を含む合成光を白色光から分離する。
【００２８】
ミラー５１は、第３色成分光（ここでは、緑成分光Ｇ）を液晶パネル７１Ｇ側に反射する。ミラー５２は、第１色成分光（ここでは、赤成分光Ｒ）及び第２色成分光（ここでは、青成分光Ｂ）を含む合成光を液晶パネル７１ＲＢ側に反射する。
【００２９】
液晶パネル７１Ｇは、緑入力信号Ｇｉｎ（緑出力信号Ｇｏｕｔ）に基づいて緑成分光Ｇを変調する。液晶パネル７１Ｇの光入射側には、第１偏光成分を有する光透過して、第２偏光成分を有する光を遮光する入射側偏光板７２Ｇが設けられる。一方で、液晶パネル７１Ｇの光出射側には、第１偏光成分を有する透過して、第２偏光成分を有する光を遮光する出射側偏光板７３Ｇが設けられる。
【００３０】
なお、第１実施形態において、液晶パネル７１Ｇは、第３信号値（ここでは、緑入力信号Ｇｉｎ／緑出力信号Ｇｏｕｔ）に基づいて、第３色成分光（ここでは、緑成分光Ｇ）を変調する第２光変調素子の一例である。
【００３１】
液晶パネル７１ＲＢは、赤入力信号Ｒｉｎ（赤出力信号Ｒｏｕｔ）に基づいて赤成分光Ｒを変調し、青入力信号Ｂｉｎ（青出力信号Ｂｏｕｔ）に基づいて青成分光Ｂを変調する。液晶パネル７１ＲＢの光入射側には、第１偏光成分を有する光を透過して、第２偏光成分を有する光を遮光する入射側偏光板７２ＲＢが設けられる。一方で、液晶パネル７１ＲＢの光出射側には、第１偏光成分を有する光を透過して、第２偏光成分を有する光を遮光する出射側偏光板７３ＲＢが設けられる。
【００３２】
ここで、液晶パネル７１ＲＢは、赤成分光Ｒ及び青成分光Ｂを時分割で変調する。例えば、１つのフレームが２つのサブフレームによって構成される場合には、液晶パネル７１ＲＢは、一方のサブフレームにおいて赤成分光Ｒを変調し、他方のサブフレームにおいて青成分光Ｂを変調する。但し、液晶パネル７１ＲＢは、同一のサブフレームにおいて、赤成分光Ｒ及び青成分光Ｂを変調してもよい。
【００３３】
なお、第１実施形態において、液晶パネル７１ＲＢは、第１信号値（ここでは、赤入力信号Ｒｉｎ／赤出力信号Ｒｏｕｔ）に基づいて、第１色成分光（ここでは、赤成分光Ｒ）を変調するとともに、第２信号値（ここでは、青入力信号Ｂｉｎ／青出力信号Ｂｏｕｔ）に基づいて、第２色成分光（ここでは、青成分光Ｂ）を変調する第１光変調素子の一例である。
【００３４】
合成部８０は、液晶パネル７１Ｇから出射される光及び液晶パネル７１ＲＢから出射される光を合成する。例えば、合成部８０は、液晶パネル７１Ｇから出射される光を反射して、液晶パネル７１ＲＢから出射される光を透過するダイクロイックプリズムである。なお、合成部８０は、液晶パネル７１Ｇから出射される光を反射して、液晶パネル７１ＲＢから出射される光を透過するダイクロイックミラーであってもよい。
【００３５】
或いは、合成部８０は、液晶パネル７１Ｇから出射される光を反射して、液晶パネル７１ＲＢから出射される光を透過するＰＢＳプリズムやＰＢＳミラーであってもよい。このようなケースでは、液晶パネル７１Ｇから出射される光の偏光は、液晶パネル７１ＲＢから出射される光の偏光と異なることに留意すべきである。
【００３６】
投写レンズユニット９０は、合成部８０から出射される光（映像光）を投写面（不図示）上などに投写する。
【００３７】
（制御ユニットの構成）
以下において、第１実施形態に係る制御ユニットについて、図面を参照しながら説明する。図２は、第１実施形態に係る制御ユニット２００を示すブロック図である。制御ユニット２００は、投写型映像表示装置１００に設けられており、投写型映像表示装置１００を制御する。
【００３８】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する画素毎に入力される信号である。なお、各画素は、赤のサブピクセル、緑のサブピクセル及び青のサブピクセルによって構成される。
【００３９】
なお、映像出力信号及び映像出力信号の下限値は、例えば、“０”であり、映像出力信号及び映像出力信号の上限値は、例えば、“２５５”である。
【００４０】
図２に示すように、制御ユニット２００は、映像信号受付部２１０と、判定部２２０と、調整部２３０と、素子制御部２４０と、光源制御部２５０とを有する。
【００４１】
映像信号受付部２１０は、パーソナルコンピュータ、ＤＶＤやＴＶチューナなどの外部装置（不図示）から映像入力信号を受付ける。
【００４２】
判定部２２０は、１フレームにおいてカラーブレイクが生じる度合いを判定する。具体的には、判定部２２０は、赤入力信号Ｒｉｎ、緑入力信号Ｇｉｎ及び青入力信号Ｂｉｎのヒストグラムを作成して、これらのヒストグラムの差異に基づいて、カラーブレイクが生じる度合いを判定する。
【００４３】
例えば、判定部２２０は、以下の手順で、カラーブレイクが生じる度合いを判定する。
【００４４】
第１に、判定部２２０は、赤入力信号Ｒｉｎ、緑入力信号Ｇｉｎ及び青入力信号Ｂｉｎの代表値を特定する。代表値は、最大値、最小値又は平均値である。或いは、代表値は、信号値が大きい順に所定数のサブピクセルを除いた上で、残りサブピクセルが有する信号値の最大値であってもよい。
【００４５】
第２に、判定部２２０は、赤入力信号Ｒｉｎ、緑入力信号Ｇｉｎ及び青入力信号Ｂｉｎの代表値の差分を特定する。詳細には、判定部２２０は、赤入力信号Ｒｉｎの代表値と緑入力信号Ｇｉｎの代表値との差分、赤入力信号Ｒｉｎの代表値と青入力信号Ｂｉｎの代表値との差分、及び、緑入力信号Ｇｉｎの代表値と青入力信号Ｂｉｎの代表値との差分を特定する。
【００４６】
第３に、判定部２２０は、赤入力信号Ｒｉｎ、緑入力信号Ｇｉｎ及び青入力信号Ｂｉｎの代表値のいずれかが閾値を超えている場合において、これらの差分の合計値が小さいほど、カラーブレイクが生じる度合いが大きいと判定する。或いは、判定部２２０は、赤入力信号Ｒｉｎ、緑入力信号Ｇｉｎ及び青入力信号Ｂｉｎの代表値のいずれかが閾値を超えている場合において、これらの差分のうち、最小の差分が小さいほど、カラーブレイクが生じる度合いが大きいと判定する。
【００４７】
第１実施形態は、判定部２２０は、１フレームを構成する複数の領域毎にカラーブレイクが生じる度合いを判定する。また、判定部２２０は、カラーブレイクが生じる度合いが閾値を超えているか否かを判定する。
【００４８】
例えば、第１実施形態において、判定部２２０は、図３に示す領域１及び領域４のように、白色画像（画像Ｗ）が存在する領域について、カラーブレイクが生じると判定する。一方で、判定部２２０は、図４に示す領域１及び領域４のように、単色画像（画像Ｒ及び画像Ｂ）が存在する領域について、カラーブレイクが生じないと判定する。
【００４９】
調整部２３０は、１つのフレームを構成するサブフレームの数を調整する。調整部２３０は、カラーブレイクが生じる度合いが小さいほど、１つのフレームを構成するサブフレームの数を増大する。
【００５０】
ここで、１つのフレームの長さは、液晶パネル７１Ｇ及び液晶パネル７１ＲＢについて同じでる。サブフレームは、赤入力信号Ｒｉｎ、緑入力信号Ｇｉｎ及び青入力信号Ｂｉｎに応じて映像データを書き込むデータ書き込み期間と、液晶パネル７１Ｇ又は液晶パネル７１ＲＢから光が出射される光出射期間とを含む。
【００５１】
なお、データ書き込み期間は、フレーム間干渉を防ぐために、原則として、液晶パネル７１Ｇ又は液晶パネル７１ＲＢから光が出射されないように光源ユニット１０が制御される。但し、以下において説明するように、データ書き込み期間においても、液晶パネル７１Ｇ又は液晶パネル７１ＲＢから光が出射されるように光源ユニット１０が制御されることもある。
【００５２】
素子制御部２４０は、映像入力信号を映像出力信号に変換して、映像出力信号に基づいて、液晶パネル７１を制御する。具体的には、素子制御部２４０は、緑出力信号Ｇｏｕｔに基づいて、液晶パネル７１Ｇを制御する。素子制御部２４０は、赤出力信号Ｒｏｕｔ及び青出力信号Ｂｏｕｔに基づいて、液晶パネル７１ＲＢを制御する。
【００５３】
光源制御部２５０は、光源ユニット１０を制御する。具体的には、光源制御部２５０は、１つのフレームを構成するサブフレームの数に基づいて、各液晶パネル７１ＲＢから光が出射される期間を制御する。詳細には、光源制御部２５０は、各光源ユニット１０（光源ユニット１０Ｒ、光源ユニット１０Ｇ及び光源ユニット１０Ｂ）から光が出射される期間を制御する。
【００５４】
第１実施形態において、光源制御部２５０は、１つのフレームを構成するサブフレームのうち、赤成分光Ｒ又は青成分光Ｂに割り当てられるサブフレームが１つである場合に、データ書き込み期間において赤成分光Ｒ又は青成分光Ｂが液晶パネル７１ＲＢから出射されないように光源ユニット１０（光源ユニット１０Ｒ又は光源ユニット１０Ｂ）を制御する。
【００５５】
光源制御部２５０は、１つのフレームを構成するサブフレームのうち、赤成分光Ｒ又は青成分光Ｂに割り当てられるサブフレームが２つ以上である場合に、連続する２つのサブフレーム間に設けられるデータ書き込み期間において、赤成分光Ｒ又は青成分光Ｂが液晶パネル７１ＲＢから出射されるように光源ユニット１０（光源ユニット１０Ｒ又は光源ユニット１０Ｂ）を制御する。
【００５６】
光源制御部２５０は、１つのフレームを構成するサブフレームのうち、緑成分光Ｇに割り当てられるサブフレームが２つ以上である場合に、連続する２つのサブフレーム間に設けられるデータ書き込み期間において、緑成分光Ｇが液晶パネル７１Ｇから出射されるように光源ユニット１０（光源ユニット１０Ｇ）を制御する。
【００５７】
（発光期間の制御例）
以下において、第１実施形態に係る発光期間の制御例について説明する。図５は、カラーブレイクが生じると判定されたケースを示す図である。図６は、カラーブレイクが生じないと判定されたケースを示す図である。
【００５８】
図５及び図６に示すように、１つのフレームの長さは、液晶パネル７１Ｇ及び液晶パネル７１ＲＢについて同じでる。サブフレームは、赤入力信号Ｒｉｎ、緑入力信号Ｇｉｎ及び青入力信号Ｂｉｎに応じて映像データを書き込むデータ書き込み期間と、液晶パネル７１Ｇ又は液晶パネル７１ＲＢから光が出射される光出射期間とを含む。
【００５９】
図５に示すように、カラーブレイクが生じると判定されたケースでは、１つのフレームを構成するサブフレームが２つに調整される。言い換えると、１つのフレームにおいて、赤成分光Ｒが割り当てられるサブフレームは１つであり、１つのフレームにおいて、青成分光Ｂが割り当てられるサブフレームは１つである。
【００６０】
従って、データ書き込み期間において赤成分光Ｒ又は青成分光Ｂが液晶パネル７１ＲＢから出射されないように光源ユニット１０（光源ユニット１０Ｒ又は光源ユニット１０Ｂ）が制御される。
【００６１】
但し、１つのフレームにおいて、緑成分光Ｇが割り当てられるサブフレームは２つである。従って、連続する２つのサブフレーム間に設けられるデータ書き込み期間（サブフレーム２のデータ書き込み期間）において、緑成分光Ｇが液晶パネル７１Ｇから出射されるように光源ユニット１０（光源ユニット１０Ｇ）が制御される。
【００６２】
図６に示すように、カラーブレイクが生じないと判定されたケースでは、１つのフレームを構成するサブフレームが４つに調整される。言い換えると、１つのフレームにおいて、赤成分光Ｒが割り当てられるサブフレームは２つであり、１つのフレームにおいて、青成分光Ｂが割り当てられるサブフレームは２つである。
【００６３】
従って、連続する２つのサブフレーム間に設けられるデータ書き込み期間（サブフレーム２又はサブフレーム４のデータ書き込み期間）において、赤成分光Ｒ又は青成分光Ｂが液晶パネル７１ＲＢから出射されるように光源ユニット１０（光源ユニット１０Ｒ又は光源ユニット１０Ｂ）が制御される。
【００６４】
また、１つのフレームにおいて、緑成分光Ｇが割り当てられるサブフレームは４つである。従って、連続する２つのサブフレーム間に設けられるデータ書き込み期間（サブフレーム２〜４のデータ書き込み期間）において、緑成分光Ｇが液晶パネル７１Ｇから出射されるように光源ユニット１０（光源ユニット１０Ｇ）が制御される。
【００６５】
（作用及び効果）
第１実施形態では、調整部２３０は、１つのフレームを構成するサブフレームの数を調整する。
【００６６】
光源制御部２５０は、サブフレームの数が調整された結果、１つのフレームを構成するサブフレームのうち、赤成分光Ｒ又は青成分光Ｂに割り当てられるサブフレームが２つ以上である場合に、連続する２つのサブフレーム間に設けられるデータ書き込み期間において、赤成分光Ｒ又は青成分光Ｂが液晶パネル７１ＲＢから出射されるように光源ユニット１０（光源ユニット１０Ｒ又は光源ユニット１０Ｂ）を制御する。
【００６７】
光源制御部２５０は、サブフレームの数が調整された結果、１つのフレームを構成するサブフレームのうち、赤成分光Ｒ又は青成分光Ｂに割り当てられるサブフレームが１つである場合に、データ書き込み期間において赤成分光Ｒ又は青成分光Ｂが液晶パネル７１ＲＢから出射されないように光源ユニット１０（光源ユニット１０Ｒ又は光源ユニット１０Ｂ）を制御する。
【００６８】
従って、映像の高輝度化を適切に図ることができる。
【００６９】
第１実施形態では、調整部２３０は、カラーブレイクが生じる度合いに基づいて、１つのフレームを構成するサブフレームの数を調整する。従って、データ書き込み期間において液晶パネル７１から光を出射して輝度が向上することに伴って生じるカラーブレイクが軽減される。
【００７０】
［変更例１］
以下において、第１実施形態の変更例１について説明する。以下においては、第１実施形態に対する相違点について主として説明する。
【００７１】
変更例１では、素子制御部２４０は、１つのフレームを構成するサブフレームの数の変化に応じて、赤出力信号Ｒｏｕｔ、緑出力信号Ｇｏｕｔ、青出力信号Ｂｏｕｔを補正する。
【００７２】
第１実施形態によれば、１つのフレームを構成するサブフレームの数を調整に伴って映像の輝度が変化する。ここで、最終的な輝度は、光源ユニット１０から出射される光量及び液晶パネル７１の変調量（映像出力信号の信号値）に基づいて定められる。
【００７３】
図７に示すように、映像出力信号の信号値が一定である場合には、１つのフレームを構成するサブフレームの数を調整に伴って、フレーム間において、最終輝度の変化量が大きくなってしまう。
【００７４】
これに対して、変更例１では、図８に示すように、赤出力信号Ｒｏｕｔ、緑出力信号Ｇｏｕｔ、青出力信号Ｂｏｕｔの補正によって、フレーム間において、最終輝度の変化量を小さくする。
【００７５】
すなわち、素子制御部２４０は、１つのフレームを構成するサブフレームの数の変化に応じて、最終輝度がなだらかに変化するように、赤出力信号Ｒｏｕｔ、緑出力信号Ｇｏｕｔ、青出力信号Ｂｏｕｔを補正する。
【００７６】
［変更例２］
以下において、第１実施形態の変更例２について説明する。以下においては、第１実施形態に対する相違点について主として説明する。
【００７７】
変更例２では、調整部２３０は、赤入力信号Ｒｉｎ及び青入力信号Ｂｉｎにおいて、１つのサブフレームを構成するサブフレームのうち、赤成分光Ｒ及び青成分光Ｂに割り当てられるサブフレームの数を調整する。
【００７８】
具体的には、第１に、調整部２３０は、図９に示すように、１フレームにおける赤入力信号Ｒｉｎのヒストグラムを生成する。同様に、調整部２３０は、図１０に示すように、１フレームにおける青入力信号Ｂｉｎのヒストグラムを生成する。
【００７９】
第２に、調整部２３０は、赤入力信号Ｒｉｎの代表値及び青入力信号Ｂｉｎの代表値を特定する。代表値は、最大値、最小値又は平均値である。或いは、代表値は、信号値が大きい順に所定数のサブピクセルを除いた上で、残りサブピクセルが有する信号値の最大値であってもよい。
【００８０】
図９及び図１０では、調整部２３０は、赤入力信号Ｒｉｎの代表値が青入力信号Ｂｉｎの代表値よりも大きいケースが例示されている。
【００８１】
第３に、調整部２３０は、赤入力信号Ｒｉｎの代表値及び青入力信号Ｂｉｎの代表値との比較結果に基づいて、１つのサブフレームを構成するサブフレームのうち、赤成分光Ｒ及び青成分光Ｂに割り当てられるサブフレームの数を調整する。
【００８２】
調整部２３０は、赤入力信号Ｒｉｎの代表値が青入力信号Ｂｉｎの代表値よりも所定閾値以上大きい場合に、サブフレームの数を青成分光Ｂに割り当てられるサブフレームの数よりも多いサブフレームの数を赤成分光Ｒに割り当てる。一方で、調整部２３０は、青入力信号Ｂｉｎの代表値が赤入力信号Ｒｉｎの代表値よりも所定閾値以上大きい場合に、サブフレームの数を赤成分光Ｒに割り当てられるサブフレームの数よりも多いサブフレームの数を青成分光Ｂに割り当てる。
【００８３】
例えば、図９及び図１０に示すように赤入力信号Ｒｉｎの代表値が青入力信号Ｂｉｎの代表値よりも大きいケースにおいて、調整部２３０は、図１１に示すように、赤成分光Ｒに３つのサブフレームを割り当て、青成分光Ｂに１つのサブフレームを割り当てる。
【００８４】
［変更例３］
以下において、第１実施形態の変更例３について説明する。以下においては、第１実施形態に対する相違点について主として説明する。
【００８５】
変更例３では、投写型映像表示装置１００が立体画像を表示するケースについて例示する。立体画像は、複数の視点画像（例えば、左目視点画像及び右目視点画像）によって構成される。また、変更例３では、複数の観察者が異なる立体画像を観察するケースについて例示する。
【００８６】
このようなケースにおいて、調整部２３０は、立体映像の観察者の数に応じて、１つのサブフレームを構成するサブフレームのうち、互いに異なるサブフレームを立体映像の観察者に割り当てる。
【００８７】
具体的には、図１２〜図１４に示すように、右目視点画像（Ｒ１）及び左目視点画像（Ｌ１）がそれぞれ４つのサブフレームによって構成されるケースについて例示する。
【００８８】
図１２に示すように、観察者が１人である場合には、サブフレーム１〜サブフレーム４の全てが１人の観察者に割り当てられる。なお、変更例３において、第１実施形態と同様に、各色成分光に割り当てられるサブフレームが２つ以上である場合に、連続する２つのサブフレーム間に設けられるデータ書き込み期間において、各色成分光が液晶パネル７１から出射されるように光源ユニット１０が制御されることに留意すべきである。
【００８９】
このようなケースにおいて、既存の観察者に対して新たな観察者が追加された場合に、調整部２３０は、図１３に示すように、既存の観察者に割り当てるサブフレームの数よりも少ない数のサブフレームを新たな観察者に割り当てる。すなわち、調整部２３０は、既存の観察者に対して、サブフレーム１〜サブフレーム３を割り当てて、新たな観察者に対して、サブフレーム４を割り当てる。
【００９０】
但し、調整部２３０は、図１４に示すように、既存の観察者及び新たな観察者に対して、均等にサブフレームを割り当ててもよい。すなわち、調整部２３０は、既存の観察者に対して、サブフレーム１〜サブフレーム２を割り当てて、新たな観察者に対して、サブフレーム３〜サブフレーム４を割り当てる。
【００９１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９２】
実施形態では特に触れていないが、単色の色成分光を変調する液晶パネル７１Ｇの駆動周波数（例えば、６０Ｈｚ）は、複数色の色成分光を変調する液晶パネル７１ＲＢの駆動周波数（例えば、１２０Ｈｚ）よりも低くてもよい。
【００９３】
実施形態では、第３色成分光が緑成分光Ｇであるケースについて例示した。しかしながら、第３色成分光は、赤成分光Ｒ又は青成分光Ｂであってもよい。
【００９４】
実施形態では、光源として、固体光源を例示した。しかしながら、光源は、白色光源であってもよい。
【００９５】
実施形態では、光変調素子として、液晶パネル７１Ｇ及び液晶パネル７１ＲＢが設けられる。しかしながら、光変調素子として、１つの光変調素子（第１光変調素子）が設けられていてもよい。このようなケースでは、１つの光変調素子（第１光変調素子）は、赤成分光Ｒ、緑成分光Ｇ及び青成分光Ｂを変調する。
【符号の説明】
【００９６】
１０…光源、２０…クロスダイクロイックミラー、３０…ロッドインテグレータ、４０…色分離部、５０…ミラー、７１…液晶パネル、７２…入射側偏光板、７３…出射側偏光板、８０…合成部、９０…投写レンズユニット、１００…投写型映像表示装置、１１１〜１１３…レンズ、２００…制御ユニット、２１０…映像信号受付部、２２０…判定部、２３０…調整部、２４０…素子制御部、２５０…光源制御部
【図１】
2013114232.tif 000003
【図２】
2013114232.tif 000004
【図３】
2013114232.tif 000005
【図４】
2013114232.tif 000006
【図５】
2013114232.tif 000007
【図６】
2013114232.tif 000008
【図７】
2013114232.tif 000009
【図８】
2013114232.tif 000010
【図９】
2013114232.tif 000011
【図１０】
2013114232.tif 000012
【図１１】
2013114232.tif 000013
【図１２】
2013114232.tif 000014
【図１３】
2013114232.tif 000015
【図１４】
2013114232.tif 000016